(57)【要約】      （修正有）【課題】固定接点の構造を改良して、可動接点と接触する部分が絶縁樹脂内に埋設して固定されているプッシュスイッチを提供する。【解決手段】プッシュスイッチは、上方が開口した凹部の内底面に中央固定接点４１および外側固定接点４２が埋設して固定された絶縁樹脂製のスイッチケースと、前記中央固定接点及び前記外側固定接点をオン又はオフさせる可動接点と、を備えたプッシュスイッチであって、前記中央固定接点及び前記外側固定接点は、前記スイッチケースの凹部の内底面に露出する接触部４１３と、該接触部から延在する延在部とをそれぞれ有し、前記可動接点は、前記外側固定接点の接触部に常時接触している外周下端縁と、前記中央固定接点の接触部で電気的にオン又はオフできる中央頂点部と、を有し、前記中央固定接点において埋設して固定される部分の中央に開放部が形成されている。【選択図】図４
0003155965.tif 000002
【実用新案登録請求の範囲】
【請求項１】
上方が開口した凹部の内底面に中央固定接点および外側固定接点が埋設して固定された絶縁樹脂製のスイッチケースと、
前記中央固定接点及び前記外側固定接点をオン又はオフさせる可動接点と、
を備えたプッシュスイッチであって、
前記中央固定接点及び前記外側固定接点は、前記スイッチケースの凹部の内底面に露出する接触部と、該接触部から延在する延在部と、をそれぞれ有し、
前記可動接点は、前記外側固定接点の接触部に常時接触している外周下端縁と、前記中央固定接点の接触部で電気的にオン又はオフできる中央頂点部とを有し、
前記中央固定接点において埋設して固定される部分の中央に開放部が形成されていることを特徴とするプッシュスイッチ。
【請求項２】
前記開放部は、前記中央固定接点において埋設して固定される部分の開口部であり、前記開口部によって、前記埋設して固定される部分が、左右方向へそれぞれ延在する左延在部及び右延在部に区分されることを特徴とする請求項１に記載のプッシュスイッチ。
【請求項３】
前記左延在部及び前記右延在部は、前記中央固定接点の接触部の異なる縁部から、前記開口部を形成するように対称に延在していることを特徴とする請求項２に記載のプッシュスイッチ。
【請求項４】
前記開放部は、前記中央固定接点において埋設して固定される部分に形成された孔部及び窪み部であることを特徴とする請求項1に記載のプッシュスイッチ。
【考案の詳細な説明】
【技術分野】
【０００１】
本考案は、携帯電話、ＰＤＡ、デジタルカメラ、又は携帯用ＡＶ機器等の主に携帯用小型電子機器の操作部に使用されるプッシュスイッチに関するものである。
【背景技術】
【０００２】
近年、携帯電話に代表される携帯用小型電子機器は、機器の多機能化と共に、更なる小型、軽量、及び薄型化が求められており、それらの機器に用いられる機能部品に対しても同様な要望が強く出されている。
【０００３】
このような従来型の機能部品としてのプッシュスイッチについて、特許文献１を参照すると、具体的に、プッシュスイッチは、上面が開口した凹部を有する絶縁樹脂から成る箱型のケースを有しており、前記凹部の内底面に、凸状に加工された中央接触部を有する金属板製の中央固定接点、および該中央固定接点を挟む対称位置に、同じく凸状に加工された外側接触部を有する金属板製の外側固定接点がインサート成形により固定されている。そして、前記ケースの凹部の内底面に露出状態で固定されている外側固定接点上には、弾性金属薄板から成るドーム状の可動接点の外周下端部が載置され、該可動接点はケース凹部内に位置を決めて収容されている。上記収容状態において、可動接点の中央頂点部下面は、凹部の内底面に露出状態に固定された中央固定接点と離間状態で対向している。
【０００４】
そして、各固定接点は、それぞれ、延在部を介してスイッチケースの外方まで直線的に延在し、前記延在部の突出部分に各接続用端子が構成されている。可動接点の外周下端部と、上記中央固定接点の延在部とは、延在部上面を覆うスイッチケースの絶縁樹脂により確実に電気的絶縁が図られる構成となっている。
【０００５】
従来型プッシュスイッチの動作について説明する。まず、上方から可動接点に押圧操作力を加え、その押圧力が所定の大きさを越えると、円形ドーム状の可動接点４が反転動作することにより中央頂点部の裏面が中央固定接点に接触し、可動接点を介して外側固定接点と中央固定接点との間が導通したスイッチオンの状態になる。そして、その押圧操作力を除くと可動接点は自らの弾性復元力により元の形状に復元し、スイッチオフの状態に戻るものであった。
【先行技術文献】
【特許文献】
【０００６】
【特許文献１】特開２００１-２６６７００号明細書
【考案の概要】
【考案が解決しようとする課題】
【０００７】
しかしながら、従来型プッシュスイッチの中央固定接点の延在部は、スイッチケースの絶縁樹脂内に埋設して固定され、また、特許文献１の図３を参照すると、延在部と接続用端子との連接する箇所は、スイッチケースの縁部に近接するので、樹脂の流れが遅くなり、充填不良を生じる恐れがあり、つまり、当該位置が完全に覆い囲まれない。だが、可動接点と接触しないように、当該位置は完全に覆い囲まれなければならず、そこで、この問題に鑑みて、新型プッシュスイッチを開発することが必要である。
【０００８】
本考案は係る事情に鑑みて創案されたものであり、固定接点の構造を改良して、可動接点と接触する部分が、絶縁樹脂内に埋設して固定されるプッシュスイッチを提供することを目的とする。
【課題を解決するための手段】
【０００９】
前記課題を解決するために、本考案のプッシュスイッチは、上方が開口した凹部の内底面に中央固定接点および外側固定接点が埋設して固定された絶縁樹脂製のスイッチケースと、前記中央固定接点と前記外側固定接点とをオン又はオフさせる可動接点と、を備えたプッシュスイッチであって、前記中央固定接点及び前記外側固定接点は、スイッチケースの凹部の底面に露出する接触部と、該接触部から延在する延在部とをそれぞれ有し、前記可動接点は、前記外側固定接点の接触部に常時接触している外周下端縁と、前記中央固定接点の接触部で電気的にオン又はオフできる中央頂点部と、を有し、前記中央固定接点において埋設して固定される部分の中央に開放部が形成されることを特徴とする。
【考案の効果】
【００１０】
本考案のプッシュスイッチは、中央固定接点の開放部により、スイッチケース用の絶縁樹脂の成型環境が改善されるので、中央固定接点の固定部が絶縁樹脂に完全に覆い囲まれ、更に、中央固定接点と可動接点との間に確実に電気的絶縁が図られる構成となっている。
【図面の簡単な説明】
【００１１】
【図１】本考案に係るプッシュスイッチの組立斜視図である。
【図２】本考案に係るプッシュスイッチの分解斜視図である。
【図３】図１に示すプッシュスイッチのシェルを外した斜視図である。
【図４】本考案に係るプッシュスイッチの中央固定接点と外側固定接点との平面図である。
【図５】本考案に係る他実施状態のプッシュスイッチの中央固定接点と外側固定接点との平面図である。
【考案を実施するための形態】
【００１２】
以下、図１〜図５を参照しながら、本考案のプッシュスイッチ１の第一実施形態について説明する。
【００１３】
プッシュスイッチ１は、上方が開口した凹部５１０を備えた絶縁樹脂製のスイッチケース５と、凹部５１０の内底面５０にインサート成形により固定されている金属板製の中央固定接点４１および外側固定接点４２と、金属薄板製の円形ドーム状可動接点３と、スイッチケース５の外側を覆うシェル２と、を含んでいる。
【００１４】
中央固定接点４１及び外側固定接点４２は、凸状に加工された接触部４１３、４２３と、インサート成形により固定される固定部４１１、４２１と、固定部４１１、４２１を介してスイッチケース５の外方まで延在する各接続用端子４１０、４２０と、前記固定部４１１、４２１と接触部４１３、４２３とを連接する連接アーム４１２、４２２と、をそれぞれ含んでおり、中央固定接点４１及び外側固定接点４２の固定部４１１、４２１がスイッチケース５の絶縁樹脂内に埋設して固定されている。
【００１５】
中央固定接点４１は略Ｖ字形状を成す左右対称の構造であり、中央に接触部４１３と、接触部４１３から延在する延在部とを含んでいる。該延在部は、開口部４１４によって、前記接触部４１３の異なる縁部からそれぞれ左右方向へ延在する左延在部及び右延在部に区分される。該左右延在部は、固定部４１１と連接アーム４１２と接続用端子４１０とをそれぞれ有している。前記固定部４１１は圧縮加工が施されて形成されており、連接アーム４１２及び接続用端子４１０より厚さが薄い部分であり、その上面をスイッチケース５の絶縁樹脂で覆うように埋設して固定されているため、可動接点３と中央固定接点４１とは、確実に電気的絶縁状態になっている。
【００１６】
外側固定接点４２は、長手方向における固定部４２１と、固定部４２１からスイッチケース５の外方まで延在する接続用端子４２０と、固定部４２１の両端部に隣接する箇所それぞれから、固定部４２１に対して略垂直となるように延在する一対の接触部４２３とを含んでおり、一対の接触部４２３は中央固定接点４１の接触部４１３を挟むように対称位置に配置される。
【００１７】
可動接点３は、弾性を有する金属薄板製の円形ドーム状であり、その外周下端縁３１が上記外側固定接点４２の接触部４２３上に載置されてスイッチケース５内に収容されている。収容状態において可動接点３の中央頂点部３０は、凹部５１０の内底面５０に露出状態に固定された中央固定接点４１と離間状態で対向している。
【００１８】
図５を参照すると、本考案のプッシュスイッチの第二実施状態が示されている。第一実施状態と異なる点は、中央固定接点４１’の延在部の構造にあり、中央固定接点４１’の固定部４１１’と連接アーム４１２’との連接する箇所には孔部４１４’が形成され、また、固定部４１１’に、連接アーム４１２’より下方に窪み部４１１０’が加工されて形成されている。孔４１４’にスイッチケース５用の絶縁樹脂が充填されてスイッチケース５が形成されるため、スイッチケース５に対する固定部４１１’の固定強度を容易に高くすることができるとともに、当該固定部４１１’が完全に覆い囲まれた構成となる。
【００１９】
中央固定接点４１、４１’の開放部（つまり、第一実施状態での開口部４１４、第二実施状態での孔部４１４’及び窪み部４１１０’）により、スイッチケース用の絶縁樹脂の成型環境が改善されるので、中央固定接点の固定部が絶縁樹脂に完全に覆い囲まれ、更に、中央固定接点と可動接点との間に確実な電気的絶縁が図られる構成となっている。
【００２０】
以上本考案について最良の実施形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００２１】
１  プッシュスイッチ
２  シェル
３  可動接点
５  スイッチケース
４１、４１’  中央固定接点
４２  外側固定接点
４１１、４２１、４１１’  固定部
４１０、４２０  接続用端子
４１２、４２２、４１２’  連接アーム
４１３、４２３  接触部
５１０  凹部
【図１】
0003155965.tif 000003
【図２】
0003155965.tif 000004
【図３】
0003155965.tif 000005
【図４】
0003155965.tif 000006
【図５】
0003155965.tif 000007